【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
ＵＳＢクライアントが接続される第１コネクタ部と、ＵＳＢホストコントローラに接続される第２コネクタ部との間の接続状態を切り替える接続切替え部を有するＵＳＢ中継装置を用いたウイルス検出システムであって、
前記ＵＳＢクライアントまたは前記ＵＳＢホストコントローラから前記ＵＳＢ中継装置を経由して取得するファイルのウイルスチェックを行うウイルスチェックエンジン部を備え、
前記ＵＳＢ中継装置は、前記ウイルスチェックエンジン部のチェック結果に基づいて、前記接続切替え部による接続状態の切替え制御を行う
ことを特徴とするＵＳＢ中継装置を用いたウイルス検出システム。
【請求項２】
前記ＵＳＢ中継装置は、前記第１コネクタ部または前記第２コネクタ部を通して入出力されるファイルを中継する制御部を有しており、
前記接続切替え部は、前記第１コネクタ部と前記第２コネクタ部との間を電気的に接続する第１の接続状態と、前記制御部と前記第１コネクタ部及び前記第２コネクタ部との間を電気的に接続する第２の接続状態と、前記第１コネクタ部と前記第２コネクタ部とが電気的に接続されていない状態と、を選択的に切り替える
ことを特徴とする請求項１に記載のＵＳＢ中継装置を用いたウイルス検出システム。
【請求項３】
前記接続切替え部は、前記第１コネクタ部に可動接点が接続された第１スイッチ部と、前記第２コネクタ部に可動接点が接続された第２スイッチ部とを有し、前記第１スイッチ部の一方の固定接点と前記第２スイッチ部の一方の固定接点とが互いに接続され、前記第１スイッチ部の他方の固定接点及び前記第２スイッチ部の他方の固定接点がそれぞれ前記制御部に接続されており、
前記ウイルスチェックエンジン部のチェック結果がＯＫのとき、前記第１スイッチ部及び前記第２スイッチ部を前記第２の接続状態とする
ことを特徴とする請求項２に記載のＵＳＢ中継装置を用いたウイルス検出システム。
【請求項４】
前記接続切替え部は、前記ウイルスチェックエンジン部のチェック結果がＮＧのとき、前記第１スイッチ部及び前記第２スイッチ部の切替え制御によって前記第１コネクタ部と前記第２コネクタ部とが電気的に接続されていない状態とする
ことを特徴とする請求項３に記載のＵＳＢ中継装置を用いたウイルス検出システム。
【請求項５】
前記ウイルスチェックエンジン部のチェック履歴情報を記録するファイルチェック履歴データベースを備えている
ことを特徴とする請求項１に記載のＵＳＢ中継装置を用いたウイルス検出システム。
【請求項６】
前記ファイル及びそのウイルスチェック結果を記録する検体隔離履歴データベースを備えている
ことを特徴とする請求項１に記載のＵＳＢ中継装置を用いたウイルス検出システム。
【請求項７】
ＵＳＢクライアントが接続される第１コネクタ部と、ＵＳＢホストコントローラに接続される第２コネクタ部との間の接続状態を切り替える接続切替え部を有するＵＳＢ中継装置を用いたウイルス検出システムにおけるウイルス検出方法であって、
前記ＵＳＢクライアントまたは前記ＵＳＢホストコントローラから前記ＵＳＢ中継装置を経由して取得するファイルのウイルスチェックを行い、
前記ウイルスチェックのチェック結果に基づいて、前記接続切替え部による接続状態の切替え制御を行う
ことを特徴とするウイルス検出方法。
【手続補正２】
【補正対象書類名】明細書
【補正対象項目名】００３４
【補正方法】変更
【補正の内容】
【００３４】
上記構成のＵＳＢ中継装置１０において、第１スイッチ部２１及び第２スイッチ部２２は、第１コネクタ部１１と第２コネクタ部１２との間の接続状態（経路）を切り替える接続切替え部を構成している。第１コネクタ部１１と第２コネクタ部１２との間の接続状態は、第１スイッチ部２１と第２スイッチ部２２との間を電気的に接続する第１の接続状態と、制御部２３と第１コネクタ部１１及び第２コネクタ部１２との間を電気的に接続する第２の接続状態とからなる。また、例えば、第１コネクタ部１１のみを制御部２３に接続し、第２コネクタ部１２は制御部２３に接続しないことにより、第１コネクタ部１１と第２コネクタ部１２とが電気的に接続されてない状態とすることができる（図２を参照）。
【手続補正３】
【補正対象書類名】明細書
【補正対象項目名】００４５
【補正方法】変更
【補正の内容】
【００４５】
ここで、デバイスタイプやインタフェースタイプの情報から、ＵＳＢデバイスの種別、即ちＵＳＢデバイスが特定のデバイス（本例では、ＵＳＢ大容量ストレージ）であるか、他のＵＳＢデバイスであるかを判断することができる。そこで、制御部２３は、ステップＳ１１で取得したＵＳＢデバイスの種別の情報に基づいて、第１コネクタ部１１に接続されたＵＳＢデバイスが、ＵＳＢ大容量ストレージなどの予め決めておいたデバイスであるか否かを判断する（ステップＳ１２）。
【手続補正４】
【補正対象書類名】明細書
【補正対象項目名】００５３
【補正方法】変更
【補正の内容】
【００５３】
一方、ステップＳ１９において、管理端末５０のウイルスチェックエンジン部５１でのウイルスチェックのチェック結果がＮＧの場合、擬似ＵＳＢホストコントローラ３１は、ＵＳＢホストコントローラ７０へ擬似ＵＳＢデバイス３３を経由してエラー応答を転送する（ステップＳ２２）。また、擬似ＵＳＢホストコントローラ３１は、デバイス側領域４１に対してファイル破棄命令を出して、デバイス側領域４１のファイルを破棄する（ステップＳ２３）。
【手続補正５】
【補正対象書類名】明細書
【補正対象項目名】００５４
【補正方法】変更
【補正の内容】
【００５４】
そして、擬似ＵＳＢホストコントローラ３１は、第１スイッチ部２１及び第２スイッチ部２２の切替え制御を行う（ステップＳ２４）。この切替え制御により、第１スイッチ部２１は可動接点２１_1が固定接点２１_3側に接続された状態となり、第２スイッチ部２２は可動接点２２_1が固定接点２２_2側に接続された状態となる。即ち、前述した、第１コネクタ部１１と第２コネクタ部１２とが電気的に接続されてない状態となる。
【手続補正６】
【補正対象書類名】明細書
【補正対象項目名】００６６
【補正方法】変更
【補正の内容】
【００６６】
以上説明した本実施形態に係るウイルス検出システム１は、ＵＳＢクライアント６０が接続される第１コネクタ部１１と、ＵＳＢホストコントローラ７０に接続される第２コネクタ部１２との間の接続状態（経路）の切替えが可能なＵＳＢ中継装置１０を用いることを特徴としている。これにより、第１コネクタ部１１と第２コネクタ部１２とを選択的に直結することができるため、ＵＳＢ大容量ストレージだけでなく、キーボード、マウス、プリンタなどの他のＵＳＢデバイスの使用にも対応することができる。
【手続補正７】
【補正対象書類名】明細書
【補正対象項目名】００７３
【補正方法】変更
【補正の内容】
【００７３】
１…ウイルス検出システム、  １０…ＵＳＢ中継装置、  １１…第１コネクタ部、  １２…第２コネクタ部、  １３…発光部、  １４…報知部、  １５…通信インタフェース、  ２１…第１スイッチ部、  ２２…第２スイッチ部、  ２３…制御部、  ３１…擬似ＵＳＢホストコントローラ、  ３２…記憶領域、  ３３…擬似ＵＳＢデバイス、  ３４…外部通信部、  ５０…管理端末、  ５１…ウイルスチェックエンジン部、  ５２…通信インタフェース、  ５３…ファイルチェック機能部、  ５４…ファイルチェック履歴データベース、  ５５…検体隔離履歴データベース、  ６０…ＵＳＢクライアント、  ７０…ＵＳＢホストコントローラ